(57)【要約】      （修正有）【課題】  デッドスペースが少なく、安価で、利用効率の高い、点光源間に暗部の発生をなくし、均一な発光強度が得られる面光源装置を提供する。【解決手段】  導光板１と集光板４と光源３を有する面光源装置であって、導光板１は、入射面とそれに垂直な出射面と出射面に対向する反射面とを備え、入射面と対向する面に光反射部材が設けられ、前記反射面には、２つの面を有する複数の突条が形成され、前記突条の入光面側の面をＡ、もう一方をＢとし、それぞれがなす角をθＡ、θＢとしたとき、入光面から１０ｍｍまでは、７０≦θＡ≦８０、８０≦θＢ≦９０、１０［ｍｍ］以降のときは、５≦θＡ≦９０、８０≦θＢ≦９０であることを特徴とする面光源装置。【選択図】図２
2007122957.tif 000002
【特許請求の範囲】
【請求項１】
導光板と集光板と光源を有する面光源装置であって、導光板は、入射面とそれに垂直な出射面と出射面に対向する反射面とを備え、入射面と対向する面に光反射部材が設けられ、前記反射面には、２つの面を有する複数の突条が形成され、前記突条の入光面側の面をＡ、もう一方をＢとし、それぞれがなす角をθＡ、θＢとしたとき、入光面から１０ｍｍまでは、７０≦θＡ≦８０、８０≦θＢ≦９０、１０［ｍｍ］以降のときは、５≦θＡ≦９０、８０≦θＢ≦９０であることを特徴とする面光源装置。
【請求項２】
入光面から１０［ｍｍ］までの部分に、連続でない複数の突条が形成された請求項１の面光源装置。
【発明の詳細な説明】
【技術分野】
【０００１】
本発明は、液晶表示素子などを背面から照射する面光源装置に関する。
【背景技術】
【０００２】
中小型用の面光源装置の光源としてＬＥＤなどの点光源が広く使用されている。
従来の導光板では、点光源が、出射された光が導光板内に入射すると、空気層と導光板の屈折率の差により屈折をおこすため、ある一定の広がり角を有していた。このため、点光源の広がりを超えた部分、特に、入光側の点光源間に顕著な暗部が発生していた。
【０００３】
また、点光源から面光源装置表示エリアが短い場合は、さらに顕著な暗部が発生していた。
従来の面光源装置としては、特許文献１に示すものがある。
【特許文献１】特開２００１−１４３５１８号公報
【０００４】
上記の問題を解決する手法として、点光源の広がりを超えた部分が発生しないように、入光面から表示エリアまでの距離を増やすことがある。しかし、入光面から表示エリアまでの距離がデッドスペースとなり、面光源装置が大きくなるという問題があった。
【０００５】
また、上記の他に、点光源の個数を増やすことがある。しかしながらこの方法においても、点光源を使用する数が増えるため、面光源装置が高価になるという問題があった。
【０００６】
さらに、（１）表示面側又は反射面側にドットパターン、シボパターンなどを配置、（２）拡散材を含んだ成形材料を使用、（３）導光板の出射面側に、ヘイズ値の高い拡散板を配置する等の方法がある。しかし、上記のような手法を用いると、光の利用効率が落ちるという問題があった。
【発明の開示】
【発明が解決しようとする課題】
【０００７】
本発明は、上記のような問題を解決しようとするものであって、デッドスペースが少なく、安価で、利用効率の高い、点光源間に暗部の発生をなくし、均一な発光強度が得られる面光源装置を提供するものである。
【課題を解決するための手段】
【０００８】
本発明は、導光板と集光板と光源を有する面光源装置であって、導光板は、入射面とそれに垂直な出射面と出射面に対向する反射面とを備え、入射面と対向する面に光反射部材が設けられ、前記反射面には、２つの面を有する複数の突条が形成され、前記突条の入光面側の面をＡ、もう一方をＢとし、それぞれがなす角をθＡ、θＢとしたとき、入光面から１０ｍｍまでは、７０≦θＡ≦８０、８０≦θＢ≦９０、１０［ｍｍ］以降のときは、５≦θＡ≦９０、８０≦θＢ≦９０であることを特徴とする面光源装置に関する。
また、本発明は、入光面から１０［ｍｍ］までの部分に、連続でない複数の突条が形成された面光源装置に関する。
【発明の効果】
【０００９】
本発明の面光源装置は、デッドスペースが少なく、安価で、利用効率の高い、点光源間に暗部の発生をなくし、均一な発光強度を得ることができる。
【発明を実施するための最良の形態】
【００１０】
以下に、発明を実施するための最良の形態について、図面を参照し詳細に説明する。図１及び図２は、この発明の実施形態にかかる面光源装置を示す概略図である。
【００１１】
図１に示すように、この実施形態の面光源装置は、面状の導光板１と、この導光板の反射面側に配置される反射シート２と、導光板１の入光面側に沿って配置される複数の点光源としてのＬＥＤ３、導光板１の出光面側に配置される集光板４と、導光板１、反射シート２、ＬＥＤ３と固定されるケース５で構成される。
【実施例】
【００１２】
以下、実施例により本発明の面光源装置の構成について、詳しく説明する。
図１及び図２に示される導光板１は、例えば、アクリル（ＰＭＭＡ）、ポリカーボネート（ＰＣ）、シクロオレフィンポリマー（ＣＯＰ）のような透明材料を射出成形法により形成された板状部材である。
【００１３】
図２に示すように、導光板１に、形成された突条パターン１１は、出光面側又は反射面に設けられる。また突条パターン１１と対向する面の形状については特に制限はなく、ス  ラッチ（微小な線状のキズ）、シボ（微小な凹凸）等の拡散パターン１２が配置される。
本発明においては、図２の部分拡大図に示すように、反射面側に突条パターン１１、出光面側に拡散パターン１２が形成される。
【００１４】
集光板４は、アクリル樹脂のような透明樹脂シートで形成され、片面に断面三角形の多数の平行突条が形成されており、突条の延長方向に直交する方向に出光面から出た指向性のある光を法線方向に変角する。配置方向は、図２の部分拡大図に示すように、入光側短面から反射面に向かう縦軸に対して直交する方向に平行突条が配置される。
【００１５】
反射シート２は、正反射シート又は散乱型白色シートで形成されており、導光板１の反射面及び反射側短面の全面を覆うように配置されている。
ケース５は、ポリカーボネート、ＡＢＳ等の反射率の高い白色の樹脂で形成されており、導光板１の側端面から漏れる光は、このケース５で反射され、導光板１内に戻される。但し、白色のケースから漏れる光で、性能上の不具合が発生する場合は、色付きの樹脂を使うこともある。
【００１６】
ＬＥＤ３から出た光は、導光板１の入光側短面から導光板１内に入光する。入光した光は、反入光側に向かって出光面と反射面との間を反射しながら進んでいく。導光板１の反射面で反射した光は、反射するごとに僅かに光の方向を変えながら反射を繰り返し、導光し、出光面に臨界角以下の角度で当たるようになった時点で、出光面より出射する。
従って、導光板１より出射する光は、指向性が強い光となり、この出光面から出た指向性のある光を集光板４により法線方向に変角する。視野角０度付近で効率よく出光される。
【００１７】
突条パターン１１の形状は、図３に示すように、プリズム状で、入光面側の斜面１３、反入光面側の斜面１４の２つの異なる角度の斜面を有する。入光面側の傾斜角度をθＡ、もう一方の面の傾斜角度をθＢとした場合、θＡとしては、反入光面側からの戻り光を導光板外に出射させる点で、５０°〜８０°が好ましく、６０°〜８０°がより好ましく、７０°〜８０°が特に好ましい。
また、θＢとしては、６０°〜９０°が好ましく、７０°〜９０°がより好ましく、８０°〜９０°が特に好ましい。
【００１８】
さらに、突条パターン１１のプリズムピッチは、面光源装置発光時に、プリズムのピッチが目視確認できないようにするため、１０〜３００μｍが好ましく、２０〜２００μｍがより好ましく、３０〜１６０μｍが特に好ましい。
【００１９】
上記の実施例によれば、従来のように、導光板内に入射した光を入光面から反入光面に到達するまでの間で、すべての光を導光板外に出射させるのではなく、反入光面で反射した光を入光面側で出射させるような突条パターンを設計し、入光側に発生する暗部を発光させるため、デッドスペースが少ない面光源装置でも、暗部のない、均一な発光強度を得られる面光源装置を得ることが出来る。
【図面の簡単な説明】
【００２０】
【図１】本発明の面光源装置を説明するための平面図及び各部分を分離した状態を示す側面図である。
【図２】本発明の面光源装置の各部分を分離した状態を示す斜視図である。
【図３】プリズム状で、入光面側の斜面と反入光側の斜面の２つの異なる角度の斜面を示す図である。
【符号の説明】
【００２１】
１  導光板
２  反射シート
３  ＬＥＤ
４  集光板
５  ケース
１１  突条パターン
１２  拡散パターン
１３  入光面側の斜面
１４  反入光面側の斜面
【図１】
2007122957.tif 000003
【図２】
2007122957.tif 000004
【図３】
2007122957.tif 000005